(57)【要約】      （修正有）【課題】着脱力及び構造強度を高めるコネクタ端子を提供する。【解決手段】延伸方向に弧状を呈する固持部１０と、固持部の一端に連接される弧状を呈する弾性アーム部２０と、固持部及び弾性アーム部全体が外に向けて突起されるように弧状を呈し、弾性アーム部の末端が内に向けて凹んで形成される接触部３０と、固持部の他端が内に向けて湾曲されて延伸された後に両側がそれぞれ後ろに向けて延伸されて形成される当接部４０とを備える。固持部及び弾性アーム部の厚さは不均一であり、固持部から弾性アーム部の末端に向けた厚さは徐々に薄くなる。本考案に係るコネクタ端子は固持部から弾性アーム部の末端に向けて厚さが変化し、且つ厚さが徐々に薄くなることで、固持部及び弾性アーム部が共に弧形の輪郭を呈する。構造強度及び端子の垂直抗力が大幅に高まり、且つ接触部の厚さが薄いため、弾性端子の機能を達成させる。【選択図】図３
0003205720.tif 000002
【実用新案登録請求の範囲】
【請求項１】
延伸方向に弧状を呈する固持部と、固持部の一端に連接される弧状を呈する弾性アーム部と、固持部及び弾性アーム部全体が外に向けて突起されるように弧状を呈し、弾性アーム部の末端が内に向けて凹んで形成される接触部と、固持部の他端が内に向けて湾曲されて延伸された後に両側がそれぞれ後ろに向けて延伸されて形成される当接部とを備え、固持部及び弾性アーム部の厚さは不均一であり、固持部から弾性アーム部の末端に向けた厚さが徐々に薄くなることを特徴とするコネクタ端子。
【請求項２】
前記固持部の外側表面には凸包が凸設されることを特徴とする、請求項１に記載のコネクタ端子。
【請求項３】
前記固持部の一端に近接する位置の両側にそれぞれロック溝が開設され、凸包は固持部の一端に近接される外側表面に設けられることを特徴とする、請求項２に記載のコネクタ端子。
【請求項４】
前記弾性アーム部の幅は固持部に連接される一端から末端に渡って徐々に狭くなることを特徴とする、請求項１に記載のコネクタ端子。
【請求項５】
前記接触部は弾性アーム部の末端から固持部に対して内に向けて湾曲された後に前に向けて延伸され、その後に斜め外に向けて湾曲されて延伸されて形成され、接触部の厚さは弾性アーム部より薄いことを特徴とする、請求項１に記載のコネクタ端子。
【請求項６】
前記当接部は固持部の他端から内に向けて湾曲されて延伸されて形成される屈曲部、及び屈曲部の両側からそれぞれ後方の外側に向けて湾曲されて延伸された後に後ろへ向けて延伸されて形成される当接ピンを備え、当接ピンの末端には内に向けて凸設される突起部が設けられることを特徴とする、請求項１に記載のコネクタ端子。
【考案の詳細な説明】
【技術分野】
【０００１】
本考案は、コネクタ端子に関する。
【背景技術】
【０００２】
従来のコネクタ端子は長い形状の固持部と、固持部の一端から延伸されて形成される弾性アーム部と、弾性アーム部の末端から弧形に湾曲されて形成される当接部と、固持部の他端から延伸されて形成される溶接部とを有する。通常の固持部、弾性アーム部、当接部及び溶接部は同じ厚さの板材が加工されることで形成される。
【考案の概要】
【考案が解決しようとする課題】
【０００３】
しかしながら、前述した従来のコネクタ端子技術では、すなわち、上述のコネクタ端子が極薄のコネクタに応用される場合、同じ厚さのコネクタ端子は厚さが固定であり、且つ薄いため、着脱力が小さくなる上に構造強度が不足した。そこで、本考案者は上記の欠点が改善可能と考え、鋭意検討を重ねた結果、合理的かつ効果的に課題を改善する本考案の提案に到った。
【０００４】
本考案は、上述のような従来の問題を解決するためになされたものであり、本考案の主な目的は、上述の問題を解決するために、着脱力及び構造強度を高めるコネクタ端子を提供することにある。
【課題を解決するための手段】
【０００５】
上述した課題を解決し、目的を達成するために、本考案に係るコネクタ端子は、延伸方向に弧状を呈する固持部と、固持部の一端に連接される弧状を呈する弾性アーム部と、固持部及び弾性アーム部全体が外に向けて突起されるように弧状を呈し、弾性アーム部の末端が内に向けて凹んで形成される接触部と、固持部の他端が内に向けて湾曲されて延伸された後に両側がそれぞれ後ろに向けて延伸されて形成される当接部とを備え、固持部及び弾性アーム部の厚さは不均一であり、固持部から弾性アーム部の末端に向けた厚さが徐々に薄くなることを特徴とする。
【考案の効果】
【０００６】
上述したように、本考案に係るコネクタ端子は固持部から弾性アーム部の末端に渡って厚さを変化して徐々に薄くなり、固持部及び弾性アーム部が共に弧形の輪郭を呈することで、構造強度及び端子の垂直抗力が大幅に向上する。また、接触部の厚さが薄いため、弾性端子の機能を達成させる。
【図面の簡単な説明】
【０００７】
【図１】本考案の第１実施形態に係るコネクタ端子を示す外観斜視図である。
【図２】図１に示すコネクタ端子の側面図である。
【図３】図１に示すコネクタ端子の上面図である。
【図４】図１に示すコネクタ端子がコネクタに装着される斜視断面図である。
【考案を実施するための形態】
【０００８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【０００９】
（第１実施形態）
以下、本考案を図１〜４に基づいて説明する。すなわち、本考案の第１実施形態の構成を図１から図４に示す。本考案に係るコネクタ端子１００は延伸されて延伸方向に弧状を呈する固持部１０と、固持部１０の一端に連接される弧状を呈する弾性アーム部２０と、固持部１０及び弾性アーム部２０が外に向けて突起されるように弧状を呈し、弾性アーム部２０の末端が内に向けて凹んで形成される接触部３０と、固持部１０の他端が内に向けて湾曲されて延伸された後に両側がそれぞれ後ろに向けて延伸されて形成される当接部４０とを有する。固持部１０及び弾性アーム部２０の厚さは不均一であり、固持部１０から弾性アーム部２０の末端に向けた厚さが徐々に薄くなる。
【００１０】
前記固持部１０の外側表面には、外部装置にスポット溶接されて固定されるために用いられる凸包１１が凸設される。凸包は固持部１０の一端に近接される外側表面に設けられ、固持部１０の一端に近接される位置の両側にそれぞれロック溝１２が開設され、外部装置にロックするために用いられる。
【００１１】
前記弾性アーム部２０の幅は固持部１０の幅より大きく、弾性アーム部２０の幅は固持部１０に連接される一端から末端に渡って徐々に狭くなる。
【００１２】
前記接触部３０は弾性アーム部２０の末端から固持部１０に対して内に向けて湾曲された後に前に向けて延伸され、その後に斜め外に向けて湾曲されて延伸されて形成され、接触部３０の厚さは弾性アーム部２０より薄い。
【００１３】
前記当接部４０は固持部１０の他端から内に向けて湾曲されて延伸されて形成される屈曲部４１と、屈曲部４１の両側からそれぞれ後方外側に向けて湾曲されて延伸された後に後ろに向けて延伸されて形成される当接ピン４２とを備え、当接ピン４２の末端には内に向けて凸設される突起部４３が設けられる。
【００１４】
なお、図１乃至図４に示すように、本考案に係るコネクタ端子１００には鍛造技術が採用され、固持部１０から弾性アーム部２０の末端に渡って厚さを変化し、且つ厚さが徐々に薄くなることで、固持部１０及び弾性アーム部２０が共に弧形の輪郭を呈する。構造強度及び端子の垂直抗力が大幅に向上し、接触部３０の厚さが薄いため、弾性端子の機能を達成させる。
【００１５】
上述したように、本考案に係るコネクタ端子１００は固持部１０が弾性アーム部２０の末端に渡って厚さを変化して徐々に薄くなることで、固持部１０及び弾性アーム部２０が共に弧形の輪郭を呈し、構造強度及び端子の垂直抗力が大幅に高まり、且つ接触部３０の厚さが薄いため、弾性端子の機能を達成させる。
【００１６】
以上、本考案の実施形態について図面を参照して詳述したが、具体的な構成はこの実施形態に限られるものではなく、本考案の要旨を逸脱しない範囲の設計変更等も含まれる。
【符号の説明】
【００１７】
１００  コネクタ端子
１０  固持部
１１  凸包
１２  ロック溝
２０  弾性アーム部
３０  接触部
４０  当接部
４１  屈曲部
４２  当接ピン
４３  突起部
【図１】
0003205720.tif 000003
【図２】
0003205720.tif 000004
【図３】
0003205720.tif 000005
【図４】
0003205720.tif 000006